(57)【要約】【課題】全てのセッションがファックス送信で占有されることがなく、空いているセッションがあればファックス受信可能な通信装置及びその制御方法、並びにプログラムを提供する。【解決手段】通信装置１００は、空きセッションを使用してファックス送信を開始した場合に、受信専用セッション数のセッションを受信専用セッションとして確保可能なときに（ステップＳ４０６でＹＥＳ）、ファックス送信を開始する（ステップＳ４０７）。【選択図】図４
2015213244.tif 000002
【特許請求の範囲】
【請求項１】
複数のセッションを用いてＩＰ網を介するファックス通信が可能な通信装置であって、
前記複数のセッションのうちでファックス通信可能なセッションである空きセッションがある場合に、ファックス受信専用として設定されたファックス受信セッションの数を示す受信専用セッション数を取得する取得手段と、
前記空きセッションを使用して前記ファックス送信を開始した場合に、前記取得手段により取得された前記受信専用セッション数のセッションを前記受信専用セッションとして確保可能であれば前記ファックス送信を開始する送信開始手段と
を有することを特徴とする通信装置。
【請求項２】
前記送信開始手段は、前記空きセッションの数を示す空きセッション数が、前記受信専用セッション数から現在ファックス受信中のセッション数を減算した値より大きいか否か判別し、
前記空きセッション数が前記値より大きいと判別した場合に、前記受信専用セッション数のセッションを前記受信専用セッションとして確保可能として前記ファックス送信を開始することを特徴とする請求項１記載の通信装置。
【請求項３】
前記取得手段により取得される前記受信専用セッション数は、ユーザにより設定されることを特徴とする請求項１または請求項２に記載の通信装置。
【請求項４】
複数のセッションを用いてＩＰ網を介するファックス通信が可能な通信装置の制御方法であって、
前記複数のセッションのうちでファックス通信可能なセッションである空きセッションがある場合に、ファックス受信専用として設定されたファックス受信セッションの数を示す受信専用セッション数を取得する取得ステップと、
前記空きセッションを使用して前記ファックス送信を開始した場合に、前記取得ステップにより取得された前記受信専用セッション数のセッションを前記受信専用セッションとして確保可能であれば前記ファックス送信を開始する送信開始ステップと
を有することを特徴とする制御方法。
【請求項５】
複数のセッションを用いてＩＰ網を介するファックス通信が可能な通信装置の制御方法をコンピュータに実行させるためのプログラムであって、
前記制御方法は、
前記複数のセッションのうちでファックス通信可能なセッションである空きセッションがある場合に、ファックス受信専用として設定されたファックス受信セッションの数を示す受信専用セッション数を取得する取得ステップと、
前記空きセッションを使用して前記ファックス送信を開始した場合に、前記取得ステップにより取得された前記受信専用セッション数のセッションを前記受信専用セッションとして確保可能であれば前記ファックス送信を開始する送信開始ステップと
を有することを特徴とするプログラム。
【発明の詳細な説明】
【技術分野】
【０００１】
本発明は、通信装置及びその制御方法、並びにプログラムに関する。
【背景技術】
【０００２】
従来、複数の通信回線に接続可能なＧ３ファクシミリ装置を利用して受注業務を行っている会社では、すべての回線が送信に占有されて、ファクス受信ができなくなり受注業務に支障をきたすことがあった。
【０００３】
そこで、回線毎に送信禁止の設定を設けて、送信禁止が設定された回線を受信専用とすることで、Ｇ３ファクシミリ装置でいつでも受信ができるようになり業務に支障をきたすことはなくなった。
【０００４】
こうしたＧ３ファクシミリ装置に代わり、近年ではＩＰ網を利用してＳＩＰ（Session Initiation Protocol）とＴ．３８に準拠したファクシミリ通信機能を備えたＩＰファクシミリ装置が普及しつつある。
【０００５】
ＳＩＰとは、ＲＦＣ３２６１に規定されているＩＰ網でさまざまな音声、データ、及び画像などのマルチメディアの通信を行うための呼制御プロトコルである。
【０００６】
一方、Ｔ．３８とは、ＩＴＵ−Ｔの勧告の１つで、加入電話網で使われるファクシミリ信号をＩＰのメッセージに翻訳して通信する方法を規定した規格である。
【０００７】
このようなＩＰファクシミリ装置には、ＩＰ網を使って多重に通信を行うことができるマルチセッション機能を備えたものが知られており、ＩＰ網を使ってＩＰファクシミリ送受信を多重に同時処理することができる。
【０００８】
従来のＧ３ファクシミリ装置では複数回線に接続するためには物理的に複数の回線に接続し、回線毎に電話番号がないと通信できないが、ＩＰファクシミリ装置は、物理的に１本のネットワークケーブルでＩＰ網に接続することで多重に同時動作が可能である。また、ＩＰファクシミリ装置では、１つの電話番号で同時動作が可能となる。
【０００９】
このようなＩＰファクシミリ装置において、従来の複数の通信回線に接続可能なＧ３ファクシミリ装置で全ての回線が送信に占有されて受信不可になることがあるように、全てのセッションが送信に占有されて受信不可になるといった問題があった。
【００１０】
この問題に対し、通信セッション単位に送信専用または受信専用を指定可能にする技術が知られている。この技術では、セッション単位に送信専用または受信専用を設定するようになっており、発呼や着呼の要求があったときに上記設定を参照し、送信専用のセッションには送信のみ、受信専用の通信セッションには受信のみを割り当てるようになっている（例えば、特許文献１参照）。
【先行技術文献】
【特許文献】
【００１１】
【特許文献１】特開２００４−１１２５１５号公報
【発明の概要】
【発明が解決しようとする課題】
【００１２】
しかしながら、このような特許文献１に開示されたファクシミリ装置にあっては、例えばセッション数が２本の場合、１本を送信専用、もう１本を受信専用に設定すると、受信専用のセッションを使用して受信している場合に着呼しても、もう１本のセッションは送信専用なので当然受信することはできない。
【００１３】
ファクスで受注業務を行っているところでは、受信の頻度が多いので、２本のセッションともに受信が行えるようにしたいが、２本とも受信専用に設定すれば、送信が全くできなくなってしまうといった問題があった。
【００１４】
本発明の目的は、全てのセッションがファックス送信で占有されることのない通信装置及びその制御方法、並びにプログラムを提供することにある。
【課題を解決するための手段】
【００１５】
複数のセッションを用いてＩＰ網を介するファックス通信が可能な通信装置であって、前記複数のセッションのうちでファックス通信可能なセッションである空きセッションがある場合に、ファックス受信専用として設定されたファックス受信セッションの数を示す受信専用セッション数を取得する取得手段と、前記空きセッションを使用して前記ファックス送信を開始した場合に、前記取得手段により取得された前記受信専用セッション数のセッションを前記受信専用セッションとして確保可能であれば前記ファックス送信を開始する送信開始手段とを有することを特徴とする。
【発明の効果】
【００１６】
本発明によれば、空きセッションを使用してファックス送信を開始した場合に受信専用セッションが確保可能なときにファックス送信を開始するので、全てのセッションがファックス送信で占有されることがない。これにより、少なくとも設定された受信専用セッションが確保可能となる。
【図面の簡単な説明】
【００１７】
【図１】本発明の実施の形態に係る通信装置の概略構成を示す図である。
【図２】図１における通信装置のソフトウェア構成を示す図である。
【図３】図１における操作部に表示される設定画面を示す図である。
【図４】図１におけるＣＰＵにより実行される発呼制御処理の手順を示すフローチャートである。
【発明を実施するための形態】
【００１８】
以下、本発明の実施の形態について図面を参照しながら詳述する。
【００１９】
図１は、本発明の実施の形態に係る通信装置１００の概略構成を示す図である。
【００２０】
図１において、通信装置１００は、ＣＰＵ１０１、ＲＯＭ１０２、ＲＡＭ１０３、画像メモリ１０４、解像度変換部１０５、読取記録用符号化復号化処理部１０６、時計部１０７、ＬＡＮインタフェース１０８、画像処理部１１０、操作部１１３、ラインバッファ１１４、プリントバッファ１１５を有し、それらはバスで接続されている。
【００２１】
さらに、画像処理部１１０には、シートスキャナ１１１、及びブックスキャナ１１２が接続されている。また、プリントバッファ１１５には、プリンタ１１６が接続されている。
【００２２】
ＣＰＵ１０１は、通信装置１００全体を制御する。ＲＯＭ１０２には、ＣＰＵ１０１が実行する各種プログラムや各種データが記憶されている。ＲＡＭ１０３は、ＣＰＵ１０１のワークエリアとして用いられたり、各種プログラムや各種データを記憶する。画像メモリ１０４は、画像データを記憶する。
【００２３】
解像度変換部１０５は、ラスタデータのミリ−インチ解像度変換などの解像度変換制御を行う。読取記録用符号化復号化処理部１０６は、通信装置１００で送受信される画像データの符号化復号化処理を行う。時計部１０７は、時間を計測する。
【００２４】
ＬＡＮインタフェースは、ＩＰ網であるＬＡＮ１０９に接続して他の機器と通信するためのインタフェースである。画像処理部１１０は、シートスキャナ１１１やブックスキャナ１１２によって得られた画像データに補正処理を施して、高精細な画像データを出力する。操作部１１３は、各種キーやディスプレイを有し、ユーザからの各種操作を受け付けたり、ユーザに各種情報を表示する。
【００２５】
シートスキャナ１１１、及びブックスキャナ１１２は、ＣＳイメージセンサ、原稿搬送機構などで構成され、原稿を光学的に読み取って電気的な画像データに変換する。ラインバッファ１１４は、画像データの転送制御を行う場合に用いられるバッファである。プリントバッファ１１５は、プリンタ１１６で印刷される１ページ分の画像データを記憶可能なバッファである。プリンタ１１６は、受信した画像データやファイルデータを記録紙に印刷するＬＢＰなどの印刷装置である。
【００２６】
図２は、図１における通信装置１００のソフトウェア構成を示す図である。
【００２７】
図２において、通信装置１００において、本実施の形態に関連するソフトウェアは、ジョブ制御部２０１、通信管理部２０２、回線制御部２０３、通信制御部２０４、プロトコルスタック２０５となっている。
【００２８】
ジョブ制御部２０１は、各種ジョブの生成などジョブに関する制御を行う。通信管理部２０２は、発呼可能か否かなどの判断や、通信に関する管理を行う。回線制御部２０３は、発呼処理など回線に関する制御を行う。通信制御部２０４は、通信の開始や終了、データの送受信など通信に関する制御を行う。プロトコルスタック２０５は、ＳＩＰプロトコルやＴ．３８手順を実行するためのソフトウェアである。
【００２９】
上述したソフトウェア構成において、ユーザにより操作部１１３からファックスの送信操作が行われると、ジョブ制御部２０１は送信ジョブを生成し、発呼要求を通信管理部２０２を通知する。
【００３０】
通信管理部２０２は、セッションの使用状態などの通信資源と後述する受信専用セッション数の設定内容などで発呼可能か否か判別し、発呼可能の場合には回線制御部２０３に対して発呼処理を通知する。
【００３１】
回線制御部２０３は、プロトコルスタック２０５に対してＳＩＰプロトコルで相手先と接続するように通知する。プロトコルスタック２０５で作成されたＳＩＰメッセージはＬＡＮインタフェース１０８を通してＬＡＮ１０９を介して相手先へ送信される。ＳＩＰプロトコルにより相手先とのセッションが生成されると、通信制御部２０４は接続相手先とＩＴＵ−Ｔ勧告のＴ．３８手順に従ってデータ通信を行う。
【００３２】
図１，２で説明した構成により、本実施の形態に係る通信装置１００は、複数のセッションを用いてＩＰ網を介するファックス通信が可能となっている。
【００３３】
図３は、図１における操作部１１３に表示される設定画面３００を示す図である。
【００３４】
図３において、設定画面３００には、受信専用セッション数設定欄３０１、可能設定数３０２、ＯＫボタン３０３、及びキャンセルボタン３０４が含まれる。
【００３５】
受信専用セッション数設定欄３０１は、可能設定数３０２に示される範囲内で、受信専用セッション数がユーザにより設定される欄である。図３の場合、受信専用セッション数は１となっている。これは、１つのセッションを受信専用セッションとすることを表している。なお、受信専用セッション数設定欄３０１に０が設定された場合には、通信装置１００でのセッションは、全て送受信可能なセッションとなる。
【００３６】
可能設定数３０２は、受信専用セッション数設定欄３０１に設定可能な受信専用セッション数を示している。例えば、通信装置１００の最大通信セッション数が２の場合には、図３に示されるように０〜２となる。なお、可能設定数３０２に示される最大値は、通信装置１００の最大通信セッション数未満であってもよい。
【００３７】
ＯＫボタン３０３は、受信専用セッション数設定欄３０１に入力された設定を有効とするためのボタンであり、キャンセルボタン３０４は、設定をキャンセルするためのボタンである。この設定画面３００に設定された受信専用セッション数は、ＲＡＭ１０３に記憶される。このように、本実施の形態では、受信専用セッション数は、ユーザにより設定されるようになっている。
【００３８】
図４は、図１におけるＣＰＵ１０１により実行される発呼制御処理の手順を示すフローチャートである。
【００３９】
図４において、まずユーザにより送信原稿がセットされ、操作部１１３において相手先を特定するための相手先情報が入力されて、送信スタートキーが押下される（ステップＳ４０１）。上記相手先情報としては、電話番号またはＳＩＰ  ＵＲＩが挙げられ、テンキー、短縮ダイヤル、または宛先表などにより入力される。
【００４０】
送信スタートキーが押下されると、ブックスキャナ１１２により送信原稿が読み込まれ、操作部１１３からジョブ制御部２０１に送信指示要求が出される。操作部１１３からの送信指示要求をジョブ制御部２０１が受信すると、ジョブ制御部２０１は相手先情報をもとに送信ジョブを生成するとともに、通信管理部２０２へ発呼要求を通知する（ステップＳ４０２）。
【００４１】
ジョブ制御部２０１からの発呼要求を通信管理部２０２が受信すると、現在のセッションの使用状況を取得し、ファックス通信可能なセッションがあるか否か判別する（ステップＳ４０３）。このファックス通信可能なセッションは、現在ファックス通信をしていないセッションであり、これを空きセッションと表現する。このステップＳ４０３は、空きセッションがあると判別されるまで繰り返される。
【００４２】
ステップＳ４０３の判別の結果、空きセッションがあると判別された場合には（ステップＳ４０３でＹＥＳ）、設定画面３００で設定され、ＲＡＭ１０３に記憶されている受信専用セッション数を取得する（ステップＳ４０４）。このステップＳ４０４は、複数のセッションのうちでファックス通信可能なセッションである空きセッションがある場合に、ファックス受信専用として設定されたファックス受信セッションの数を示す受信専用セッション数を取得する取得手段に対応する。
【００４３】
次いで、通信管理部２０２は通信中のセッションの通信種別を取得する（ステップＳ４０５）。この通信種別とは、送信または受信を示している。これにより、現在ファックス受信中のセッション数が得られる。
【００４４】
そして、空きセッション数が、受信専用セッション数から現在ファックス受信中のセッション数を減算した値より大きいか否か判別する（ステップＳ４０６）。
【００４５】
このステップＳ４０６では、空きセッションを使用してファックス送信を開始した場合に、受信専用セッション数のセッションを受信専用セッションとして確保可能か否か判別している。
【００４６】
また、ステップＳ４０６は、肯定判別されるまで繰り返される。従って、受信専用セッション数のセッションを受信専用セッションとして確保可能でない間は発呼待機状態となり、またステップＳ４０３の判別結果により少なくとも１つの通信可能なセッションがあるので、ファックス受信可能な状態である。
【００４７】
ステップＳ４０６の判別の結果、空きセッション数が、受信専用セッション数から受信中のセッション数を減算した値より大きいと判別された場合には（ステップＳ４０６でＹＥＳ）、通信管理部２０２は回線制御部２０３に対して発呼要求を通知する。この通知により回線制御部２０３は発呼を開始することでファックス送信を開始し（ステップＳ４０７）、本処理を終了する。上記ステップＳ４０６，４０７は、送信開始手段に対応する。
【００４８】
以上説明した実施の形態によれば、空きセッションを使用してファックス送信を開始した場合に、受信専用セッション数のセッションを受信専用セッションとして確保可能なときに（ステップＳ４０６でＹＥＳ）、ファックス送信を開始する（ステップＳ４０７）。
【００４９】
これにより、全てのセッションをファックス送信で占有することなく、少なくとも設定された受信専用セッションが確保可能となる。その結果、受信専用セッションで空きセッションがあればファックス受信可能となるので、通信装置の利便性を高めることができる。
【００５０】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５１】
１００  通信装置
１０１  ＣＰＵ
１０２  ＲＯＭ
１０３  ＲＡＭ
１１３  操作部
２０１  ジョブ制御部
２０２  通信管理部
２０３  回線制御部
２０４  通信制御部
２０５  プロトコルスタック
【図１】
2015213244.tif 000003
【図２】
2015213244.tif 000004
【図３】
2015213244.tif 000005
【図４】
2015213244.tif 000006